(57)【要約】【課題】  部品点数の増加やコストアップを招くことなく、装着された紙幣収納庫を適切に識別して、耐久性を損なうことのない紙幣処理装置における紙幣収納庫の識別方法および紙幣収納庫の識別機能付き紙幣処理装置を提供する。【解決手段】  装着した紙幣収納庫３０について収納モータ２０の電流値を測定し、満杯時電流値ＭＩ以下の所定の仕様電流値ＳＩに達したときの収納枚数を、予め記憶してある仕様電流値ＳＩにおける各種類の紙幣収納庫３０ごとの基準収納枚数ＣＡ〜ＣＥと比較して、紙幣収納庫３０の種類を識別するので、部品点数の増加やコストアップを招くことなく、装着された紙幣収納庫３０を適切に識別して、耐久性を損なうのを防止できる。【選択図】図７
2011197842.tif 000002
【特許請求の範囲】
【請求項１】
挿入された紙幣を搬送して、押し付け機構により押し付けて前記紙幣を紙幣収納庫に収納する紙幣処理装置に対して、交換可能に装着された前記紙幣収納庫の収納可能枚数の違いによる種類を識別する紙幣処理装置における紙幣収納庫の識別方法であって、
前記押し付け機構を駆動する収納モータの電流値が、各種類の前記紙幣収納庫における満杯状態を示す満杯時電流値以下の所定の仕様電流値に到達したときに、当該紙幣収納庫において収納されている基準収納枚数を予め記憶しておく工程と、
使用する前記紙幣収納庫を装着した時からの前記紙幣の収納枚数を計数する工程と、
装着した前記紙幣収納庫に対する前記収納モータの電流値を測定し、電流値が前記仕様電流値となったときの収納枚数を計数する工程と、
計数された前記紙幣の収納枚数と、記憶されている前記基準収納枚数とを比較して、どの種類の紙幣収納庫であるかを識別する工程と、
を有することを特徴とする紙幣処理装置における紙幣収納庫の識別方法。
【請求項２】
挿入された紙幣を搬送して、押し付け機構により押し付けて前記紙幣を紙幣収納庫に収納する紙幣処理装置に対して、交換可能に装着された前記紙幣収納庫の収納可能枚数の違いによる種類を識別する紙幣収納庫の識別機能付き紙幣処理装置であって、
前記押し付け機構を駆動する収納モータの電流値を計測する電流値測定手段と、
収納する紙幣の枚数を計数する収納枚数計数手段と、
前記収納モータの電流値が、各種類の前記紙幣収納庫における満杯状態を示す満杯時電流値以下の所定の仕様電流値に到達したときに、当該紙幣収納庫において収納されている基準収納枚数を予め記憶しておく記憶手段と、
前記紙幣処理装置に装着されて使用される紙幣収納庫に対して、前記収納モータの電流値が前記仕様電流値となったときに前記収納枚数計数手段により計数された枚数と、前記記憶手段に記憶されている前記基準収納枚数とを比較して、前記紙幣収納庫の種類を判断する種類判断部と、
を有することを特徴とする紙幣収納庫の識別機能付き紙幣処理装置。
【発明の詳細な説明】
【技術分野】
【０００１】
本発明は、紙幣挿入口から挿入される紙幣を収納する紙幣収容庫を備えた紙幣処理装置において、装着されている紙幣収納庫が何枚の紙幣を収納する種類のものであるかを識別するための紙幣処理装置における紙幣収納庫の識別方法および紙幣収納庫の識別機能付き紙幣処理装置に関する。
【背景技術】
【０００２】
自動販売機等に備えられている紙幣処理装置は、挿入された紙幣を搬送し、押し付け機構により紙幣収納庫に押し付けて収納している。このような紙幣処理装置においては、紙幣の回収に便利なように紙幣収納庫が着脱自在になっている。
このため、紙幣収納庫を当初装着されていたものよりも収納枚数が少ないものに交換された場合には、収納可能以上の紙幣を紙幣収納庫に押し付けることになり、これによって生じる各機構の故障を防止するために、装着した紙幣収納庫が何枚の紙幣を収納可能なものであるかを把握する必要がある。
従来このために、収納可能枚数の相違による紙幣収納庫の種類を、センサを用いて自動で識別するものがある（例えば特許文献１参照）。また、センサを用いることなく、紙幣を押し付ける収納モータの電流値から、紙幣収納庫の満杯を検知するものもある（例えば特許文献２参照）。
【０００３】
図９に示すように、特許文献１に記載の紙幣識別機１００は、紙幣識別機本体１０１と、この紙幣識別機本体１０１に着脱可能に装着される紙幣収納庫１０２とを有する。
【０００４】
紙幣収納庫１０２は、取付けネジ１０３を介して開閉可能となっており、紙幣収容時は閉じられている（図９（Ａ）において一点鎖線で表示）。一方、紙幣満杯時等には、開かれることによって、紙幣収納庫１０２に収納された紙幣を外部へ取出すことが可能になる。紙幣収納庫１０２の側壁面１０２ａ上には、紙幣収納庫１０２の種類を検出するための検出片１０４が取り付けられており、背面１０２ｂには、紙幣収納庫１０２の開閉状態を検出するための突起１０５が設けられている。
【０００５】
紙幣識別機本体１０１の前面１０１ａには、紙幣用の挿入口１０６が設けられている。識別機本体１０１の側壁面１０１ｂの内面には、検出片１０４を検出する第１のセンサ１０７ａおよび第２のセンサ１０７ｂと、突起１０５によって紙幣収納庫１０２の開閉を検出する第３のセンサ１０７ｃが設けられている。また、識別機本体１０１内部には、紙幣識別機全体を制御するマイコン（ＭＰＵとも略記する）１０８、このマイコン１０８に属するＲＯＭ１０８ａおよびＲＡＭ１０８ｂが設けられている。
【０００６】
従って、収納庫１０２の収納可能枚数に対応して検出片１０４の形状を変えることにより、第１のセンサ１０７ａおよび第２のセンサ１０７ｂのオン・オフの組み合わせが変化するので、識別機本体１０１に装着された紙幣収納庫１０２の種類を自動で識別することができる。例えば、図９（Ｂ）の形状の検出片１０４では、第１のセンサ１０７ａがオン（Ｈ）、第２のセンサ１０７ｂがオフ（Ｌ）となるので、この検出信号の組み合わせから、マイコン１０８が紙幣収納庫１０２の種類を識別することができる。
【０００７】
また、図１０に示すように、特許文献２に記載の紙幣収納装置１１０は、紙幣１１２等の紙葉類を収納する紙葉類収納部（紙幣収納庫）１１１を有し、搬送ベルト１１５によって搬送されてきた紙幣１１２は、押し付け板１１３によって紙幣収納庫１１１の内部に押し付けられて収納される。押し付け板１１３は、収納モータ１１４によって回転される歯車１１６，１１７を介して送りネジ１１８を矢印方向へ移動させることにより移動する。収納モータ１１４には、電流を測定する電流測定装置１１９が取り付けられている。
【０００８】
従って、搬送ベルト１１５によって紙幣１１２が搬送されると、収納モータ１１４が駆動され、押し付け板１１３によって紙幣１１２を紙幣収納庫１１１内に押し付ける。このときの収納モータ１１４の電流を電流測定装置１１９で測定しながら、最初の数十枚の紙幣１１２が収納される間に、その収納モータ１１４の電流値の挙動から紙幣収納庫１１１に何枚の紙幣１１２が収納可能か、すなわち満杯枚数が計算され、紙幣１１２の収納枚数が算出された満杯枚数に達したら、紙幣収納庫１１１は満杯であると判断する。
【先行技術文献】
【特許文献】
【０００９】
【特許文献１】特開平１１−２７２９２１号公報（第１図）
【特許文献２】特開２０００−１８７７５７号公報（第１図）
【発明の概要】
【発明が解決しようとする課題】
【００１０】
しかしながら、前述した特許文献１に記載の紙幣識別機１００においては、第１のセンサ１０７ａおよび第２センサ１０７ｂが必要となり、部品点数が増加してコストアップを招くという問題があった。
また、前述した特許文献２に記載の紙幣収納装置１１０においては、満杯枚数を決定するために収納した数十枚の紙幣１１２に対する電流値の変化から、使用している紙幣収納庫１１１の満杯枚数を予想して算出する。このため、例えば、算出に用いた数十枚の紙幣が新札で薄く、満杯枚数を算出した後に収納した紙幣が古くて皺があり厚いものである場合には、算出された満杯枚数まで紙幣１１２を収容すると、収納モータ１１４や歯車１１６，１１７等に過度の負荷がかかって、耐久性を損なうおそれがあるという問題があった。
【００１１】
そこで、本発明は上記問題点に鑑みなされたものであって、部品点数の増加やコストアップを招くことなく、装着された紙幣収納庫を適切に識別して、耐久性を損なうことのない紙幣処理装置における紙幣収納庫の識別方法および紙幣収納庫の識別機能付き紙幣処理装置を提供することを目的とする。
【課題を解決するための手段】
【００１２】
本発明の紙幣処理装置における紙幣収納庫の識別方法は、挿入された紙幣を搬送して、押し付け機構により押し付けて前記紙幣を紙幣収納庫に収納する紙幣処理装置に対して、交換可能に装着された前記紙幣収納庫の収納可能枚数の違いによる種類を識別する紙幣処理装置における紙幣収納庫の識別方法であって、前記押し付け機構を駆動する収納モータの電流値が、各種類の前記紙幣収納庫における満杯状態を示す満杯時電流値以下の所定の仕様電流値に到達したときに、当該紙幣収納庫において収納されている基準収納枚数を予め記憶しておく工程と、使用する前記紙幣収納庫を装着した時からの前記紙幣の収納枚数を計数する工程と、装着した前記紙幣収納庫に対する前記収納モータの電流値を測定し、電流値が前記仕様電流値となったときの収納枚数を計数する工程と、計数された前記紙幣の収納枚数と、記憶されている前記基準収納枚数とを比較して、どの種類の紙幣収納庫であるかを識別する工程と、を有する。
【００１３】
また、本発明の紙幣収納庫の識別機能付き紙幣処理装置は、挿入された紙幣を搬送して、押し付け機構により押し付けて前記紙幣を紙幣収納庫に収納する紙幣処理装置に対して、交換可能に装着された前記紙幣収納庫の収納可能枚数の違いによる種類を識別する紙幣収納庫の識別機能付き紙幣処理装置であって、前記押し付け機構を駆動する収納モータの電流値を計測する電流値測定手段と、収納する紙幣の枚数を計数する収納枚数計数手段と、前記収納モータの電流値が、各種類の前記紙幣収納庫における満杯状態を示す満杯時電流値以下の所定の仕様電流値に到達したときに、当該紙幣収納庫において収納されている基準収納枚数を予め記憶しておく記憶手段と、前記紙幣処理装置に装着されて使用される紙幣収納庫に対して、前記収納モータの電流値が前記仕様電流値となったときに前記収納枚数計数手段により計数された枚数と、前記記憶手段に記憶されている前記基準収納枚数とを比較して、前記紙幣収納庫の種類を判断する種類判断部と、を有する。
【発明の効果】
【００１４】
本発明によれば、装着して使用されている紙幣収納庫について収納モータの電流値を測定し、満杯時電流値以下の所定の仕様電流値に達したときに収納されている紙幣の枚数を、予め記憶してある各種類の紙幣収納庫ごとの基準収納枚数と比較して、紙幣収納庫の種類を識別するので、部品点数の増加やコストアップを招くことなく、装着された紙幣収納庫を適切に識別することができ、過度の負荷を阻止して耐久性を損なうのを防止できるという効果を有する紙幣処理装置における紙幣収納庫の識別方法および紙幣収納庫の識別機能付き紙幣処理装置を提供することができるものである。
【図面の簡単な説明】
【００１５】
【図２】本発明にかかる紙幣処理装置の断面図であり、紙幣を収納する前の状態を示す。
【図１】本発明にかかる紙幣処理装置の断面図であり、紙幣を満杯に収納した状態を示す。
【図３】処理装置本体の斜視図であり、（Ａ）は紙幣収納庫を装着した状態、（Ｂ）は紙幣収納庫を開いた状態，（Ｃ）紙幣収納庫を取り外した状態を示す。
【図４】（Ａ）〜（Ｆ）は、紙幣の収納枚数が異なる紙幣収納庫の例を示す斜視図である。
【図５】識別機能の制御系統を示すブロック図である。
【図６】本発明にかかる紙幣収納庫の識別方法の前段である基準収納枚数の登録までを示すフローチャートである。
【図７】本発明にかかる紙幣収納庫の識別方法の後段である識別終了までを示すフローチャートである。
【図８】各紙幣収納庫の紙幣収納枚数と収納モータの電流値との関係を示すグラフ。
【図９】従来の紙幣識別機の要部の構成図で、（Ａ）は収納庫が開かれた状態の側面図、（Ｂ）は（Ａ）におけるＢ部分の拡大図、（Ｃ）は（Ｂ）をＣ方向から見た拡大正面図である。
【図１０】従来の紙幣収納装置の要部断面図である。
【発明を実施するための形態】
【００１６】
以下、添付図面を参照して、本発明を実施するための形態（以下、実施形態）について詳細に説明する。なお、実施形態の説明の全体を通して同じ要素には同じ番号を付している。
【００１７】
図１乃至図３に示すように、本発明の実施形態にかかる紙幣処理装置１０は、例えば自動販売機等の内部に収容されて用いられ、挿入された紙幣を搬送して、紙幣収納庫３０に収納するものである。
【００１８】
紙幣処理装置１０は、全体矩形箱状の処理装置本体１１を有しており、前面１１ａに紙幣挿入口１２が開口している。この紙幣挿入口１２は、紙幣処理装置１０が収容されている自動販売機等における紙幣挿入口に連結している。紙幣挿入口１２に連続して、紙幣搬送用の搬送ベルト等を有する搬送路１３が設けられており、搬送モータ１５により駆動されて、挿入された紙幣ＢＬを処理装置本体１１の後部に設けられている紙幣収納庫３０に搬送する。搬送路１３には、紙幣ＢＬの真偽を鑑別する鑑別装置（図示省略）が設けられている。この鑑別にて真札と鑑別された紙幣ＢＬのみを収納すべき紙幣とし、この枚数を計数する収納枚数計数手段であるカウンタ２１（図５参照）も搬送路１３に設けられている。
【００１９】
処理装置本体１１の背面１１ｂ下部は、後方に向けて開口しており、紙幣を収納する紙幣収納庫３０を着脱可能に収容する開口部１１ｃが設けられている。図３（Ｃ）に示すように、開口部１１ｃの内側下部には、紙幣収納庫３０を装着する収納庫受け部１１ｄが設けられている。また、開口部１１ｃの内側上部には、紙幣収納庫３０を装着して固定する係止部１１ｅおよび紙幣収納庫３０の着脱状態を検出する収納庫離脱検出スイッチ１１ｆが設けられている。
【００２０】
図１乃至図３に示すように、開口部１１ｃには、搬送路１３によって搬送されてきた紙幣を紙幣収納庫３０に押し付けて収納するための押し付け機構１４が設けられている。押し付け機構１４は、収納モータ２０がリンク機構１７を駆動してテーブル１６を前後方向へ移動させることにより、紙幣ＢＬを紙幣収納庫３０の背板３４に押し付ける。収納モータ２０には、電流値を測定する電流値測定手段である電流計１８（図５参照）が設けられており、電流値を常時測定している。
【００２１】
また、処理装置本体１１には、紙幣収納庫３０が満杯になったことを警告する表示部１９（図５参照）が設けられている。表示部１９としては、警告音を発する発音手段およびその旨を表示する表示板を設けることができる。
【００２２】
図４に示すように、紙幣収納庫３０は、前方（図４において左側）が開口（開口部３１）した矩形箱状をしており、開口部３１を処理装置本体１１の内部に向けて処理装置本体１１の開口部１１ｃに交換可能に取り付けられる。搬送路１３から下向きに送られてきた紙幣ＢＬは、そのまま下降して紙幣収納庫３０の左端に収納され、押し付け機構１４のテーブル１６によって紙幣収納庫３０の背板３４方向（図１において矢印Ａ方向）へ押し付けられる。従って、紙幣ＢＬの収納方向は、紙幣ＢＬの長辺が上下方向で、かつ、紙幣収納庫３０の背板３４に平行となる。
【００２３】
紙幣収納庫３０の厚さＤ（すなわち、側壁３２の高さ）は、紙幣ＢＬの収納枚数に応じて異なっており、例えば、図４（Ａ）の紙幣収納庫３０Ａは１００枚、（Ｂ）の紙幣収納庫３０Ｂは２５０枚、（Ｃ）の紙幣収納庫３０Ｃは３００枚、（Ｄ）の紙幣収納庫３０Ｄは４５０枚、（Ｅ）の紙幣収納庫３０Ｅは８００枚となっている。
【００２４】
紙幣収納庫３０の側壁３２の外面下部後端には、処理装置本体１１の収納庫受け部１１ｄに着脱可能に保持される取付凸部３３を有する。取付凸部３３は、長手方向が所定の角度θ傾斜して設けられている（図４（Ａ）参照）。また、紙幣収納庫３０の側壁３２の外面上部には、処理装置本体１１の係止部１１ｅを係止するロック機構３５を有する。
【００２５】
従って、紙幣収納庫３０を処理装置本体１１に装着する際には、まず、図３（Ｂ）に示すように、紙幣収納庫３０を所定角度θだけ傾けて取付凸部３３が鉛直方向となるようにして、処理装置本体１１の収納庫受け部２２ｄに上方から係合させる。この状態は、紙幣収納庫３０を開いた状態であり、処理装置本体１１に対して所定角度θだけに傾けた状態が保持できるようになっている。
【００２６】
その後、図３（Ａ）に示すように、取付凸部３３を中心として紙幣収納庫３０を回動させて、紙幣収納庫３０のロック機構３５により処理装置本体１１の係止部１１ｅを係止して固定する。なお、紙幣収納庫３０を装着した状態では、紙幣収納庫３０が処理装置本体１１の収納庫離脱検出スイッチ１１ｆをオンとするので、非装着や不完全装着が容易に検出される。
【００２７】
次に、図５に基づいて、収納枚数の相違により異なる種類の紙幣収納庫３０を識別する識別機能の制御系統を説明する。
制御装置４０は、中央処理装置であるＣＰＵ４１を有しており、ＣＰＵ４１に接続されたメモリ４２および紙幣収納庫３０の種類を識別する種類判断部４３を有する。また、ＣＰＵ４１には、押し付け機構１４の収納モータ２０、収納モータ２０の電流値を測定する電流計１８、紙幣の枚数を計数するカウンタ２１、紙幣収納庫３０の満杯等を表示する表示部１９が接続されている。
【００２８】
次に、図６および図７に基づいて、収納枚数の相違により異なる種類の紙幣収納庫３０を識別する紙幣収納庫の識別方法を説明する。
図６には、予め行う前処理が示してある。スタートしたら（ステップＳＡＳ）、１番目の紙幣収納庫３０Ａを処理装置本体１１に装着し（ステップＳＡ１）、紙幣ＢＬを紙幣挿入口１２から挿入する（ステップＳＡ２）。挿入された紙幣ＢＬは搬送路１３により搬送される。このとき、真偽鑑別して真札と鑑別された紙幣ＢＬをカウンタ２１によりカウントし、制御装置４０に送信するとともに（ステップＳＡ３）、押し付け機構１４を駆動する収納モータ２０の電流値を電流計１８で測定して制御装置４０に送信する（ステップＳＡ４）。
【００２９】
そして、制御装置４０では、測定された収納モータ２０の電流値が、紙幣収納庫３０Ａにおける満杯状態を示す満杯時電流値ＭＩ（図８では、例えば４５０ｍＡ）以下の予め設定した所定の仕様電流値ＳＩ（例えば２５０ｍＡ）に達したか否かを判断する（ステップＳＡ５）。所定の仕様電流値ＳＩに達していない場合には、ステップＳＡ２に戻って、紙幣を挿入し（ステップＳＡ２）、所定の仕様電流値ＳＩに達したと判断されるまで、ステップＳＡ２〜ステップＳＡ５の処理を繰り返す。
ステップＳＡ５において所定の仕様電流値ＳＩに達したと判断されると、このときのカウンタ２１による計数値を制御装置４０に送信し、紙幣収納庫３０Ａにおける基準収納枚数ＣＡ（図８においては、例えば８０枚）としてメモリ４２に記憶する（ステップＳＡ６）。
【００３０】
続いて、次の紙幣収納庫３０Ｂ〜３０ＥについてステップＳＡ１〜ステップＳＡ６対する前処理を行い（ステップＳＡ７）、全ての種類の紙幣収納庫３０について基準収納枚数ＣＡ〜ＣＥをメモリ４２に記憶して処理を完了する（ステップＳＡＥ）。
【００３１】
図７には、実際に装着して使用されている紙幣収納庫３０の識別方法が示してある。
スタートしたら（ステップＳＢＳ）、新しい紙幣収納庫３０を処理装置本体１１に装着する（ステップＳＢ１）。実際の使用において、紙幣が紙幣挿入口１２から挿入されると（ステップＳＢ２）、搬送路１３により紙幣ＢＬは紙幣収納庫３０に搬送される。このとき、カウンタ２１が紙幣ＢＬの収納枚数をカウントして制御装置４０に送信するとともに（ステップＳＢ３）、押し付け機構１４を駆動する収納モータ２０の電流値を電流計１８で測定して制御装置４０に送信する（ステップＳＢ４）。
【００３２】
そして、制御装置４０では、測定された収納モータ２０の電流値が、予め設定した所定の仕様電流値ＳＩ（例えば２５０ｍＡ）に達したか否かを判断する（ステップＳＢ５）。所定の仕様電流値ＳＩに達していない場合には、ステップＳＢ２に戻って使用される。使用により紙幣が挿入され（ステップＳＢ２）、所定の仕様電流値ＳＩに達したと判断されるまで、ステップＳＢ２〜ステップＳＢ５の処理を繰り返す。
【００３３】
ステップＳＢ５において所定の仕様電流値ＳＩに達したと判断されると、種類判断部４３は、このときのカウンタ２１による計数値である収納枚数と、メモリ４２に記憶されている基準収納枚数ＣＡとを比較する（ステップＳＢ６）。図８に示すように、例えば、このときの収納枚数が８０枚前後の場合は、メモリ４２に記憶されている基準収納枚数ＣＡに近いので、装着された紙幣収納庫３０は、第１の紙幣収納庫３０Ａであると識別して（ステップＳＢ７）、終了する（ステップＳＢＥ）。あるいは、例えば、収納枚数が７５０枚前後の場合には、メモリ４２に記憶されている基準収納枚数ＣＥに近いので、装着された紙幣収納庫３０は、第５の紙幣収納庫３０Ｅであると識別される。
【００３４】
次に、紙幣処理装置１０における紙幣ＢＬの収納動作および紙幣収納庫の識別動作について説明する。
予め、前述したように、各種類の紙幣収納庫３０ごとの基準収納枚数ＣＡ〜ＣＥをメモリ４２に記憶しておく。
そして、実際に使用する紙幣収納庫３０を紙幣処理装置１０に装着する。自動販売機等を使用する際に、処理装置本体１１の紙幣挿入口１２から紙幣ＢＬを挿入すると、搬送モータ１５で駆動される搬送ベルトによって搬送されて、まず鑑別部（図示省略）でその真偽が鑑別される。鑑別部で真札と鑑別された紙幣は、さらに奥へと搬送される。また、偽札と鑑別された紙幣は、搬送ベルトを反転させることにより逆方向に搬送されて、紙幣挿入口１２から排出される。
【００３５】
真札と鑑別された紙幣は、紙幣収納庫３０に搬送される。このとき、カウンタ２１が紙幣ＢＬの収納枚数をカウントして制御装置４０に送信するとともに、電流計１８が収納モータ２０の電流値を測定して制御装置４０に送信する。紙幣収納庫３０内部に搬送された紙幣ＢＬは、押し付け機構１４のテーブル１６によって紙幣収納庫３０の背板３４側に押し付けられて収納される。
【００３６】
このとき、前述した紙幣収納庫の識別方法により、制御装置４０において、測定された収納モータ２０の電流値が予め設定した所定の仕様電流値ＳＩに達したと判断されると、種類判断部４３は、このときのカウンタ２１による計数値である収納枚数と、メモリ４２に記憶されている基準収納枚数ＣＡ〜ＣＥとを比較して、紙幣収納庫３０の種類を識別する。
さらに使用して、紙幣ＢＬの収納枚数が、識別された種類の紙幣収納庫３０の満杯枚数に達したと判断されると、制御装置４０は表示部１９に満杯の旨を表示するとともに、収納モータ２０の作動を停止し、更に搬送モータ１５の作動をせずに紙幣ＢＬの挿入を阻止する。
【００３７】
以上、説明した本発明の実施形態である紙幣処理装置における紙幣収納庫の識別方法および紙幣収納庫の識別機能付き紙幣処理装置によれば、紙幣処理装置１０に装着された紙幣収納庫３０について、種類判断部４３が、収納モータ２０の電流値が仕様電流値ＳＩに達したときの紙幣の収容枚数と、予めメモリ４２に記憶してある仕様電流値ＳＩにおける各種類の紙幣収納庫３０ごとの基準収納枚数ＣＡ〜ＣＥとを比較して、紙幣収納庫３０の種類を識別するので、部品点数の増加やコストアップを招くことなく、装着された紙幣収納庫３０を適切に識別することができ、過度の負荷を阻止して耐久性を損なうのを防止できる。
【００３８】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【符号の説明】
【００３９】
１０  紙幣処理装置
１４  押し付け機構
１５  搬送モータ
１８  電流計（電流値測定手段）
２０  収納モータ
２１  カウンタ（収納枚数計数手段）
３０  紙幣収納庫
４２  メモリ（記憶手段）
４３  種類判断部
ＢＬ  紙幣
ＣＡ〜ＣＥ  基準収納枚数
ＭＩ  満杯時電流値
ＳＩ  仕様電流値
【図１】
2011197842.tif 000003
【図２】
2011197842.tif 000004
【図３】
2011197842.tif 000005
【図４】
2011197842.tif 000006
【図５】
2011197842.tif 000007
【図６】
2011197842.tif 000008
【図７】
2011197842.tif 000009
【図８】
2011197842.tif 000010
【図９】
2011197842.tif 000011
【図１０】
2011197842.tif 000012